(57)【要約】      （修正有）【課題】入れ子状態の入紙を一工程で完結することのできる入紙装置を提供する。【解決手段】入紙装置は所定間隔毎にフィンガー１１を備え、フィンガーが走行する搬送路に対して、冊子１、２または追加印刷物を供給する任意複数台の供給機１２ａ、１２ｂ、１２ｃを配置し、冊子の表紙をめくり上げる開き機１３ａ、１３ｂ、開かれた前記表紙を閉じる閉じ機１４ａ、１４ｂ、更に前記開き機から閉じ機までの間に延在する表紙の開き状態維持機構から成る表紙ハンドリングメカを複数組配置するとともに、組を成すハンドリングメカを前記搬送路の任意片側に配置変更自在に構成したことを特徴とする。【選択図】図１
2019104129.tif 000002
【特許請求の範囲】
【請求項１】
所定間隔毎にフィンガーを備え、該フィンガーの走行に伴って上流から下流に向けて順次と丁合をとっていく形式の入紙装置であって、前記フィンガーが走行する搬送路に対して、冊子または追加印刷物を供給する任意複数台の供給機を配置し、冊子の表紙をめくり上げる開き機、開かれた前記表紙を閉じる閉じ機、更に前記開き機から閉じ機までの間に延在する表紙の開き状態維持機構から成る表紙ハンドリングメカを複数組配置するとともに、組を成すハンドリングメカを前記搬送路の任意片側に配置変更自在に構成したことを特徴とする入れ子状態を形成する入紙装置。
【発明の詳細な説明】
【技術分野】
【０００１】
自動車販売の分野で配布されるカタログで、最近、下記のようなものが流行し始めた。例示すると、販売する全車種を網羅する車種総合カタログの表紙をめくると、その中にカー用品の総合カタログがあり、次に、そのカタログの表紙をめくると、カーナビや車載カメラなどの個別ちらしが入っている。即ち、2冊の冊子と適宜数のちらしが配布する側の意図に従うかたちで複雑に入れ子状態に入紙されているものである。
本発明は、このような複雑な入紙作業を手作業から解放すべく自動化したものである。
【背景技術】
【０００２】
一般的に、冊子への入紙と言えば、表紙の裏側に追加印刷物が挟みこまれる。それを自動化するために成されたものとして下記の先行技術が公知である。
【先行技術文献】
【特許文献】
【０００３】
【特許文献１】特開2007-111956号公報
【発明の概要】
【発明が解決しようとする課題】
【０００４】
本発明の解決課題は、表紙の裏側に追加印刷物を入紙した冊子をして、その冊子が更に別の冊子の表紙裏側に入紙されているような多重的状態、即ち、入れ子状態の入紙を一工程で完結することである。また、冊子がすくなくとも２部あるので、該冊子の綴じ側がすべて同じ側にある場合、違う場合、違う場合もどちらの冊子に別の冊子を入れ子にするかなど、いろんな組み合わせに対して、その都度、対応可能な装置を提供することである。
【課題を解決するための手段】
【０００５】
従って、本発明は、所定間隔毎にフィンガーを備え、該フィンガーの走行に伴って上流から下流に向けて順次と丁合をとっていく形式の入紙装置であって、前記フィンガーが走行する搬送路に対して、冊子または追加印刷物を供給する任意複数台の供給機を配置し、冊子の表紙をめくり上げる開き機、開かれた前記表紙を閉じる閉じ機、更に前記開き機から閉じ機までの間に延在する表紙の開き状態維持機構から成る表紙ハンドリングメカを複数組配置するとともに、組を成すハンドリングメカを前記搬送路の任意片側に配置変更自在に構成したことを特徴とする入れ子状態を形成する入紙装置を提供する。
【発明の効果】
【０００６】
手作業で、あるいは従来の入紙装置では２度通しや３度通しすることで作業完了するしか方法がなかったものを、本発明装置によれば、１パスで完了することができる。即ち、入れ子状態の入紙作業も概ね一工程の作業コストで済むことになり、極めて効率的である。
また、冊子の表紙をめくり上げる開き機、開かれた前記表紙を閉じる閉じ機、更に前記開き機から閉じ機までの間に延在する表紙の開き状態維持機構から成る表紙ハンドリングメカを複数組備え、該ハンドリングメカを前記搬送路の任意片側に配置変更自在に構成したことで、冊子の綴じ側を自在に設定して多種多様な入れ子状態を形成することが出来る。
【図面の簡単な説明】
【０００７】
【図１】は本願装置を説明するための説明図
【図２】は本願装置の開き機を説明するための説明図
【図３】は本願装置で製造されるカタログ冊子の入れ子状態を説明するための説明図
【図４】は本願装置の構成について説明するための説明図
【発明を実施するための形態】
【実施例】
【０００８】
以下、本願発明の実施例装置について詳細に説明する。
図1は、実施例装置の基礎的部分を説明するためのモデル化した説明図であり、（ａ）は上流部、（ｂ）はそれに継続する下流部を図示している。図中、10は周知のチェーンであり、所定間隔毎にフィンガー11を配置して、紙面右から左に向けて走行する。
また、図中、12ａ乃至12ｃは供給機を指し、最上流に位置する供給機12ａで冊子1を、次位の供給機12ｂで冊子２を、最後の供給機12ｃで追加印刷物であるチラシを供給する。即ち、フィンガー11が下流に向けて走行する搬送路20に対して、所定のタイミングで次々と所定の印刷物を供給し、該フィンガー11をして、上へ上へと重ね合わせていく典型的なライン型の丁合機を構成している。
【０００９】
また、図中、13ａならびに13ｂは、図２に例示したような開き機を配置することを指している。即ち、図２で図示したように、冊子１ならびに冊子２が供給された直後にあって、チェーン10に取り付けられたフィンガー11に後端を押されながら紙面左方向に搬送される冊子１（または２）に対し、16で指す吸引トリガーにより表紙が局所的に吸引され、更に、継続して１対のプーリー19間に張架された吸着ベルト17で吸着搬送される。即ち、多数の吸引孔17ａを通して裏面に備えられた吸引ダクトの負圧によって吸引しつつ、フィンガー11による搬送とともに、冊子１の表紙がめくり上げられ、本願で言う開き機が配置される。尚、15で指すのは、振分け棒の一端であり、めくり上げられた表紙を、吸着ベルト17による搬送が終えた後に、その余の部分から更に開き拡大するために備えられる。
【００１０】
即ち、図1に例示したように、必要に応じて、表紙を90°〜180°オープンするようにガイドして、その開き状態を維持する。具体的には、棒や板材などで表紙部分が斯様に変形するように、また維持するようにガイドする公知の手段で構成するもので、本願では開き状態維持機構13ａ、13ｂと称する。
さて、図1に於ける14ｂならびに14ａについてであるが、これらは、この場所に開き状態にある表紙を閉じる閉じ機を配置することを指している。具体的には、前記した開き状態維持機構を構成する棒や板材などをして、表紙部分が閉じるように変形させるべく案内ガイドする公知の手段で構成して配置する。尚、図では理解を容易にするために開き機13ｂに対応する閉じ機14ｂと、開き機13ａに対応する閉じ機14ａとを離隔した別場所に図示しているが、図1のように下流に向かって両方共に同じ側（右側または左側）をして開閉する例では、極めて近接した場所で一挙に両方の表紙を閉じるように構成することも可能である。
【００１１】
次に、図３ならびに図４に基づいて、入れ子状態にある幾つかの入紙例、ならびにそれを実施するための本発明に係る実施例装置の構成例について説明する。
先ず、図３（ａ）は、冊子１に於ける表紙の裏側に冊子２が、そして冊子２の表紙裏側にチラシ３が入紙されている状況を分かりやすくモデル化して図示している。そして、斯様な入れ子状態の入紙を行うための実施例装置の構成例を、図４（ａ）に図示している。即ち、紙面右から左に向けて搬送路が形成されているものとして、機器の配置例を例示しているが、最上流に冊子1の供給機、次いで冊子1の表紙開き機、冊子２の供給機、その冊子２の表紙開き機、更にチラシ３の供給機、そして最後に２台の閉じ機が配置されている。また、棒や板材でガイド機能を具現化する開き状態維持機構7ならびに８を、対応する開き機と閉じ機との間に配置する。尚、この構成例は図１で例示した実施例を別形式で表現したものであり、係る装置を運用することで、ワンパスで前記した入れ子状の入紙作業が完結する。
【００１２】
次に、図３（ｂ）についてであるが、本例は、前記した（ａ）との比較から、チラシ４が追加されて入れ子状態になっていることが明らかである。従って、図４（ｂ）の所定位置に供給機が追加されて実施例が構成される。
次に、図３（ｃ）ならびに（ｄ）についてであるが、これらは、冊子２が冊子１の逆側に綴じ部が位置するにして入れ子状に入紙されている例である。従って、冊子２の供給機は綴じ側が逆にくるように配置され、その開き機も逆側の反綴じ側をめくりあげるように設定変更される。また、開き状態維持機構８ならびに閉じ機も同様に逆側で機能するように構成される。即ち、開き状態維持機構８を含んで、開き機から閉じ機までを組とする表紙のハンドリングメカをして、必要に応じて、逆側設定可能に構成されているのが特徴的である。換言すれば、斯様な構成によって、入れ子状態の異なるニーズに対しても、ワンパスで作業完了できる効果を奏する。
【００１３】
また、図３（ｅ）ならびに（ｆ）についてであるが、冊子1の入れ子である冊子２の下にチラシ４を入紙した例と、冊子２の上にチラシ４を入紙したものを例示している。前者は図４（ｅ）のレイアウトで、後者は図４（ｆ）のレイアウトで装置構成され、いずれもワンパスで斯様な入れ子状態の入紙作業が完結する。尚、供給機についてであるが、冊子を対象としたり、ペラチラシ（一枚もののチラシ）を対象としたり、その両方共に兼用できるタイプのものを利用すると、前記した各種ニーズに対して、柔軟に組み合わせ対応することでき至便である。更に、下流に向かって右側に冊子の綴じ側がくるように供給する供給機も、必要に応じて、左側に配置換えすることが出来れば至便であり、可能なら、ユニット型の供給機を必要数台揃えて、その都度、組み合わせて運用するのが望ましい。
【００１４】
以上の通り、本発明に係る入れ子状態を形成する入紙装置は、複数の冊子それぞれに所定数の追加印刷物を入紙することができ、また冊子同士の関係に於いても、その綴じ側をして同じ側にしたり、異なる側にしたり、その組み合わせが自在にできることが特徴的である。また、一工程、換言すれば、ワンパスで多様な入れ子状態に入紙完了することができるので、多大なコスト削減に寄与すること確実である。尚、実施例装置は冊子が２つの場合をして詳記したが、それ以上になった場合も、同様にして本発明装置を構成することが可能である。
【符号の説明】
【００１５】
１・・・冊子（折丁）、２・・・冊子（折丁）、３，４・・・チラシ、７,８・・・開き状態維持機構、10・・・チェーン、11・・・フィンガー、12a，12b，12c・・・供給機、13a，13b・・・開き機、14a，14b・・・閉じ機、15・・・振分け棒、16・・・吸引トリガー、17・・・吸着ベルト、18・・・吸引ダクト、19・・・プーリー、20・・・搬送テーブル・・・である。
【図１】
2019104129.tif 000003
【図２】
2019104129.tif 000004
【図３】
2019104129.tif 000005
【図４】
2019104129.tif 000006